(57)【要約】【課題】輸送時の振動または開閉器操作時の振動等による計器用変流器の回転を簡素な構造で抑制することが可能な三相一括形のガス絶縁開閉装置を得ること。【解決手段】三相一括形のガス絶縁開閉装置内に配置された計器用変流器７ａ〜７ｃは、それぞれ絶縁テープ１５で計器用変流器コアに巻き付けて一体とされた突起部１４ａ〜１４ｃを有し、計器用変流器７ａ〜７ｃの形状は非円環状となっている。これにより、振動によって計器用変流器７ａ〜７ｃに回転方向の力が加わった場合においても、突起部１４ａ〜１４ｃ同士が互いに干渉することにより、回転を抑制することが可能となる。したがって、計器用変流器７ａ〜７ｃの回転による二次側配線の断線などの事象を簡素な構造で防止することができる。【選択図】図３
2011004567.tif 000002
【特許請求の範囲】
【請求項１】
絶縁性ガスが封入された筒状のタンク内に収納された三相の導体の周囲にそれぞれ配置され、前記三相の導体に流れる電流を計測する三相の計器用変流器を備えた三相一括形のガス絶縁開閉装置において、
前記三相の計器用変流器はそれぞれ、円環状の鉄心にコイルが巻装された計器用変流器コアと、この計器用変流器コアの外周面に配置され絶縁材料から形成されるとともに少なくとも二面以上の平面部をその外面に具備して前記計器用変流器コアの外周面から突き出た形で固着される突起部と、この突起部を前記計器用変流器コアに巻き付けて一体に固着する絶縁テープと、を有し、
前記三相の計器用変流器は、前記タンクの軸線に垂直な断面上で前記各突起部を前記タンクの中心に位置するようにして配置され、
各相の前記計器用変流器は、その突起部の一の平面部を他の二相のうちの一方の前記計器用変流器に設けられた突起部の一の平面部とほぼ接するように対向させて配置されるとともに、その突起部の別の平面部を他の二相のうちの他方の前記計器用変流器に設けられた突起部の一の平面部とほぼ接するように対向させて配置されることを特徴とするガス絶縁開閉装置。
【請求項２】
前記三相の計器用変流器は、前記タンクの軸線に垂直な断面上で正三角形の各頂点位置に配置され、前記各突起部は、断面山形形状でかつ頂角が１２０°をなすことを特徴とする請求項１に記載のガス絶縁開閉装置。
【請求項３】
絶縁性ガスが封入された筒状のタンク内に収納された三相の導体の周囲にそれぞれ配置され、前記三相の導体に流れる電流を計測する三相の計器用変流器を備えた三相一括形のガス絶縁開閉装置において、
前記三相の計器用変流器はそれぞれ、円環状の鉄心にコイルが巻装された計器用変流器コアと、この計器用変流器コアの外周面に配置され絶縁材料から形成されるとともに少なくとも一面以上の平面部をその外面に具備して前記計器用変流器コアの外周面から突き出た形で固着される突起部と、この突起部を前記計器用変流器コアに巻き付けて一体に固着する絶縁テープと、を有し、
前記三相のうちの一相の計器用変流器は２つの前記突起部を有し、
前記一相の計器用変流器の一方の突起部は、その平面部を他の二相のうちの一方の前記計器用変流器に設けられた突起部の平面部とほぼ接するように対向して配置されるとともに、
前記一相の計器用変流器の他方の突起部は、その平面部を他の二相のうちの他方の前記計器用変流器に設けられた突起部の平面部とほぼ接するように対向して配置されることを特徴とするガス絶縁開閉装置。
【請求項４】
前記三相の計器用変流器は、前記タンクの軸線に垂直な断面上で二等辺三角形の各頂点位置に配置され、前記二等辺三角形の対称軸上の頂点に配置された前記計器用変流器が２つの前記突起部を有することを特徴とする請求項３に記載のガス絶縁開閉装置。
【請求項５】
前記三相の計器用変流器は、前記タンクの軸線に垂直な断面上で直線的に配置され、中央に配置された前記計器用変流器が２つの前記突起部を有することを特徴とする請求項３に記載のガス絶縁開閉装置。
【請求項６】
絶縁性ガスが封入された筒状のタンク内に収納された三相の導体の周囲にそれぞれ配置され、前記三相の導体に流れる電流を計測する三相の計器用変流器を備えた三相一括形のガス絶縁開閉装置において、
前記三相の計器用変流器はそれぞれ、円環状の鉄心にコイルが巻装された計器用変流器コアと、この計器用変流器コアの外周面に配置され絶縁材料から形成されるとともに前記計器用変流器コアの外周面から突き出た形で固着される突起部と、この突起部を前記計器用変流器コアに巻き付けて一体に固着する絶縁テープと、を有し、
各相の前記計器用変流器は、回転方向の力に対し、その突起部を他の二相の前記計器用変流器の一方または両方の突起部と接触させて係止するよう配置構成されていることを特徴とするガス絶縁開閉装置。
【発明の詳細な説明】
【技術分野】
【０００１】
本発明は、ガス絶縁開閉装置に関し、特に導体を流れる電流を計測する計器用変流器の取り付け構造に関するものである。
【背景技術】
【０００２】
変電所等で使用されるガス絶縁開閉装置は、ＳＦ６（六フッ化硫黄）等の絶縁性ガスが封入されたタンク内に遮断器、断路器、接地開閉器および計器用変流器等の各種の機器を収納して構成される。また、計器用変流器は、遮断器に接続された導体の周囲に装着され、この導体に流れる電流を計測する。
【０００３】
従来、ガス絶縁開閉装置内に配置された計器用変流器では、鉄心にコイルを巻装した計器用変流器コアの外周形状として円形が一般的に採用されている。また、計器用変流器には二次配線が接続され、この二次配線をタンク外に引き出して電流計測を行っている。
【０００４】
計器用変流器は、タンクに固定された取付板とこれに対向する押え板とにより軸線方向のその両面を挟み込み、ボルト等により取付板と押え板とを締め付けることにより固定するのが一般的である。
【０００５】
また、特許文献１では、遮断器が収納されたタンク内への計器用変流器の組み込みを容易にすることを目的としたガス絶縁開閉装置が開示されている。このガス絶縁開閉装置では、各相の計器用変流器を各相ごとに設けられた計器用変流器支持フレームに取り付けて計器用変流器組立体を構成する。計器用変流器支持フレームは、導体を取り囲む円筒部とこの円筒部の一端に形成されたフランジとを一体に有する支持部材と、フランジに対向して設けられた第１の押え板と、この第１の押え板とフランジとの間に配置された第２の押え板と、を備える。
【０００６】
特許文献１の図３および図４では、第１の押え板と第２の押え板との間および第２の押え板とフランジとの間にそれぞれ計器用変流器が配置され、これらの計器用変流器は、フランジ、第１の押え板、および第２の押え板の各端部にそれぞれ設けられた孔を貫通する通しボルトにより締め付けられている。また、三相の計器用変流器支持フレームが直線的に配置され、隣接する計器用変流器支持フレームの端部は通しボルトにより相互に締結されている。
【０００７】
また、特許文献２では、組立作業性の向上と小型化を図ることを目的とした貫通形計器用変流器が開示されている。特許文献２の図１および図２では、三相の計器用変流器はそれぞれ断面略扇形となるように低圧巻線が巻装された環状鉄心の周りを樹脂等でモールド一体成形され、さらに扇の中心角度が１２０°となるようにして、互いの側面が接触するようにして三相を一体的に組み立てている。このとき、隣接する計器用変流器間を取付金具およびねじ等により連結固定している。
【先行技術文献】
【特許文献】
【０００８】
【特許文献１】特開平８−２９４２０９号公報
【特許文献２】特開２０００−１５６３２７号公報
【発明の概要】
【発明が解決しようとする課題】
【０００９】
しかしながら、従来の三相一括形のガス絶縁開閉装置では、タンク内に配置された計器用変流器は取付板と押え板との間に挟持され摩擦力により固定された構造であるので、計器用変流器部の輸送時の振動または開閉器操作時の振動などにより、計器用変流器コアに回転方向の力が加わり、その力が摩擦力を上回った場合には、計器用変流器コアが回転しこの回転による二次配線の断線などの不具合が発生する可能性があった。
【００１０】
また、特許文献１に記載のガス絶縁開閉装置では、直線的に配置された三相の計器用変流器組立体の隣接する計器用変流器支持フレームの端部が相互にボルト締結されているので、計器用変流器支持フレーム自体は固定された構造であるが、計器用変流器は第１の押え板と第２の押え板間または第２の押え板とフランジ間に挟まれて締め付けられた構造である。したがって、この場合も、計器用変流器は振動によって回転する可能性があり、二次配線の断線などの不具合を引き起こす可能性があった。
【００１１】
また、特許文献２に記載のガス絶縁開閉装置では、計器用変流器の断面形状を略扇形とし扇の中心角度が１２０°とすることで計器用変流器の回転方向の変位は抑制される構造にあるが、計器用変流器の位置ずれまたは脱落防止等のために計器用変流器間を取付金具およびねじ等により連結固定している。そのため、回転防止は実現されるものの、計器用変流器の取付構造はより複雑となり、組み立て工数も増加するという問題点があった。特に、三相の計器用変流器をそれぞれ軸線方向に複数個積み重ねて配置するような構成では取付金具の個数も増大する。
【００１２】
本発明は、上記に鑑みてなされたものであって、輸送時の振動または開閉器操作時の振動等による計器用変流器の回転を簡素な構造で抑制することが可能な三相一括形のガス絶縁開閉装置を得ることを目的とする。
【課題を解決するための手段】
【００１３】
上述した課題を解決し、目的を達成するために、本発明にかかるガス絶縁開閉装置は、絶縁性ガスが封入された筒状のタンク内に収納された三相の導体の周囲にそれぞれ配置され、前記三相の導体に流れる電流を計測する三相の計器用変流器を備えた三相一括形のガス絶縁開閉装置において、前記三相の計器用変流器はそれぞれ、円環状の鉄心にコイルが巻装された計器用変流器コアと、この計器用変流器コアの外周面に配置され絶縁材料から形成されるとともに少なくとも二面以上の平面部をその外面に具備して前記計器用変流器コアの外周面から突き出た形で固着される突起部と、この突起部を前記計器用変流器コアに巻き付けて一体に固着する絶縁テープと、を有し、前記三相の計器用変流器は、前記タンクの軸線に垂直な断面上で前記各突起部を前記タンクの中心に位置するようにして配置され、各相の前記計器用変流器は、その突起部の一の平面部を他の二相のうちの一方の前記計器用変流器に設けられた突起部の一の平面部とほぼ接するように対向させて配置されるとともに、その突起部の別の平面部を他の二相のうちの他方の前記計器用変流器に設けられた突起部の一の平面部とほぼ接するように対向させて配置されることを特徴とする。
【発明の効果】
【００１４】
この発明によれば、輸送時の振動または開閉器操作時の振動等による計器用変流器の回転を簡素な構造で抑制することができる、という効果を奏する。これにより、計器用変流器に接続された二次配線が回転により断線されるといった不具合が発生しない。
【図面の簡単な説明】
【００１５】
【図１】図１は、実施の形態１における計器用変流器の取り付け構造を説明するための縦断面図である。
【図２】図２は、実施の形態１における計器用変流器の構成を示す横断面図である。
【図３】図３は、実施の形態１にかかる三相一括形のガス絶縁開閉装置における三相の計器用変流器の配置構成を示す横断面図である。
【図４】図４は、実施の形態２にかかる三相一括形のガス絶縁開閉装置における三相の計器用変流器の配置構成を示す横断面図である。
【図５】図５は、実施の形態３にかかる三相一括形のガス絶縁開閉装置における三相の計器用変流器の配置構成を示す横断面図である。
【図６】図６は、従来の三相一括形のガス絶縁開閉装置における三相の計器用変流器の配置構成を示す横断面図である。
【図７】図７は、従来の計器用変流器の構成を示す斜視図である。
【発明を実施するための形態】
【００１６】
以下に、本発明にかかるガス絶縁開閉装置の実施の形態を図面に基づいて詳細に説明する。なお、この実施の形態によりこの発明が限定されるものではない。
【００１７】
実施の形態１．
図１は、本実施の形態における計器用変流器の取り付け構造を説明するための縦断面図、図２は、本実施の形態における計器用変流器の構成を示す横断面図、図３は、本実施の形態にかかる三相一括形のガス絶縁開閉装置における三相の計器用変流器の配置構成を示す横断面図である。
【００１８】
図１では、三相の計器用変流器のうちの一つを例にその取り付け構造を示している。図１に示すように、絶縁性ガスが封入された金属性の筒状のタンク１には環状の取付板２がボルト３により固定されている。また、取付板２に設けられた開口に円筒状の計器用変流器ケース６が貫通して配置され、この計器用変流器ケース６内を一次巻線としての導体３０が挿通している。この導体３０はタンク１の軸線方向に延伸し、図示しない遮断器（三相のうちの対応する一相の遮断器）と接続されている。
【００１９】
計器用変流器ケース６にはその周囲を取り囲むように環状の計器用変流器７が装着されている。具体的には、例えば３つの計器用変流器７が軸線方向に積み重ねられた状態で配置されている。
【００２０】
取付板２には複数本の支柱４の一端がそれぞれボルト５により固定され、これらの支柱４は軸線方向に沿って立設されている。また、これらの支柱４の他端には環状の押え板８がボルト９により固定されている。
【００２１】
計器用変流器７は、取付板２と押え板８とにより軸線方向の両面から挟まれ、さらに押え板８に設けられた孔を貫通するボルト１０を締め付けることにより両板間に挟持された状態で動かないように押え付けられている。
【００２２】
また、計器用変流器７には圧着端子１３が設けられており、この圧着端子１３には二次配線１２が接続されている。この二次配線１２はタンク１に取り付けられた密封端子１１に接続され、計器用変流器７で検出した電流信号をタンク１外に引き出せるようにしている。
【００２３】
図２では、計器用変流器７の構成を示している。計器用変流器７は、環状の鉄心にコイルを巻回して構成された計器用変流器コア３１に、樹脂等の絶縁材料からなる例えば断面山形の突起物を絶縁テープ１５で巻き付けて一体に固着して突起部１４を設けている。突起部１４は、計器用変流器コア３１に装着されたときに、その外面に少なくとも二面以上の平面部を有するものとする。図示例の場合、突起部１４は、２つの傾斜面を平面部として有している。なお、後述するように、本実施の形態の場合、突起部１４の山形の頂角は例えば１２０°であることが好ましい。このように、円環状の計器用変流器コア３１に突起部１４を一体化して非円環状の計器用変流器７を構成する。なお、絶縁テープ１５は例えばポリエステル樹脂からなるテープを用いることができる。
【００２４】
図３では、タンク１の軸線に垂直な断面による三相の計器用変流器７ａ，７ｂ，７ｃの配置構成を示している。タンク１内には、三相の導体３０ａ〜３０ｃが収容され、これらは正三角形の頂点に配置されている。また、三相の導体３０ａ〜３０ｃはそれぞれ計器用変流器７ａ〜７ｃにより囲まれている。なお、図１は、図３の仮想線５０による縦断面を示したものであり、さらに二次配線１２等も加えて記載している。
【００２５】
図３に示すように、計器用変流器７ａ〜７ｃは、計器用変流器７ａの突起部１４ａと計器用変流器７ｂの突起部１４ｂと計器用変流器７ｃの突起部１４ｃとがいずれもタンク１の中心に位置するように配置されている。また、突起部１４ａ〜１４ｃはそれぞれ断面山形形状でありかつその頂角はいずれも略１２０°である。そのため、突起部１４ａの有する２つの平面部の一方は突起部１４ｂの平面部の一つとほぼ接触するように対向して配置され、突起部１４ａの有する２つの平面部の他方は突起部１４ｃの平面部の一つとほぼ接触するように対向して配置されている。突起部１４ｂ、１４ｃについても同様である。
【００２６】
また、取付板２、この取付板２に固定された例えば３本の支柱４、および密封端子１１も示されており、三相の計器用変流器７ａ，７ｂ，７ｃはそれぞれ圧着端子１３を介して二次配線１２により密封端子１１に接続されている。
【００２７】
本実施の形態の動作について説明する。図３のように計器用変流器部を組み立てた状態で輸送する場合には計器用変流器７ａ〜７ｃに振動が印加される。また、遮断器等の開閉器の操作時にも振動が発生する。このような輸送時の振動または開閉器操作時の振動等により、計器用変流器７ａ〜７ｃに回転方向の力が加わる場合がある。しかしながら、図３のように三相の計器用変流器７ａ〜７ｃに対してそれぞれ突起部１４ａ〜１４ｃを設けることで、計器用変流器７ａ〜７ｃが回転しようとしたときに、突起部１４ａ〜１４ｃが各平面部を介して互いに当接し干渉することで計器用変流器７ａ〜７ｃは係止され、その回転が抑制される。
【００２８】
ここで、従来の計器用変流器部の構成について説明する。図６は、従来の三相一括形のガス絶縁開閉装置における三相の計器用変流器の配置構成を示す横断面図、図７は、従来の計器用変流器の構成を示す斜視図である。なお、図６および図７では、図１〜図３と同一の構成要素には同一の符号を付している。
【００２９】
図６に示すように、タンク１内には、三相の導体３０ａ〜３０ｃが収容され、これらの導体３０ａ〜３０ｃは正三角形の頂点に配置されている。また、三相の導体３０ａ〜３０ｃはそれぞれ計器用変流器１０７ａ〜１０７ｃにより囲まれている。計器用変流器１０７ａ〜１０７ｃの構造は、図７に示す計器用変流器１０７の構造と同様である。すなわち、図７では、従来の計器用変流器１０７は環状の鉄心にコイル１０８を巻回して構成される。
【００３０】
図６に示す計器用変流器部の構成においては、計器用変流器１０７ａ〜１０７ｃはそれぞれ取付板２と押え板８との接触面での摩擦力により振動等による回転力に対して静止する構造である。したがって、回転力が摩擦力を上回ると計器用変流器１０７ａ〜１０７ｃは回転をする。そのため、この回転により計器用変流器１０７ａ〜１０７ｃに接続された二次配線１２が断線するなどの不具合が発生する可能性があった。
【００３１】
本実施の形態によれば、三相一括形のガス絶縁開閉装置内に配置された計器用変流器７ａ〜７ｃのそれぞれに回り止め構造として互いに係止する平面部を有する突起部１４ａ〜１４ｃを設けることで、振動等による計器用変流器７ａ〜７ｃの回転を防止することができる。これにより、計器用変流器７ａ〜７ｃの回転による二次配線１２の断線などの不具合の発生を防止することができる。
【００３２】
また、本実施の形態によれば、回転防止に例えば計器用変流器相互間を接続する回り止め金具等の部品を用いる必要がなく、簡素な構造で回転防止を実現することができ、さらに計器用変流器７ａ〜７ｃの取り付けも容易である。従来のように計器用変流器相互間を回り止め金具で接続する方法では、図１のように各相の計器用変流器７が軸線方向に複数個重ねて配置される場合には、回り止め金具も多数必要となり、部品点数も増加し取付工程も増加する。また、この場合、金具が脱落すると回転が抑制されなくなる。これに対して、本実施の形態では、突起部１４は計器用変流器コア３１に絶縁テープ１５に巻き付けて一体的にしているので、このような脱落の心配もなく、簡素な構造で機器の信頼度が確保される。
【００３３】
また、本実施の形態では、絶縁テープ１５を用いて計器用変流器７ａ〜７ｃに突起部１４ａ〜１４ｃを固着している。これにより、計器用変流器コア３１と突起部１４とを一体にモールドする場合に比べてコストが低減される。
【００３４】
なお、図３では、突起部１４ａ〜１４ｃの頂角を１２０°としたが、これより小さくすることも可能であり、計器用変流器７ａ〜７ｃは多少回転した後に互いに係止することになる。
【００３５】
また、突起部１４ａ〜１４ｃの断面形状は山形としたが、その他の形状も可能である。すなわち、突起部１４ａ〜１４ｃは、計器用変流器７ａ〜７ｃの回転に対して、突起部１４ａ〜１４ｃの平面部が相互に干渉して回転を妨げるような構成であればよい。
【００３６】
実施の形態２．
図４は、本実施の形態にかかる三相一括形のガス絶縁開閉装置における三相の計器用変流器の配置構成を示す横断面図である。図４では、図３に対応する配置構成図であり、タンク１他構成要素を一部省略して計器用変流器間の配置構成のみを示している。
【００３７】
図４に示すように、本実施の形態では、三相の計器用変流器７ａ〜７ｃは鈍角の二等辺三角形の頂点に配置される構成である。すなわち、図示を省略した三相の導体も二等辺三角形の頂点に配置されている。
【００３８】
中央に配置された計器用変流器７ｂには、突起部２３ｂ，２４ｂが設けられている。突起部２３ｂ，２４ｂはともに断面が略台形状であり、それぞれ上底部が平面部となっている。また、突起部２３ｂ、２４ｂは、実施の形態１の図２と同様に、樹脂等の絶縁材料からなる同形状の突起物を絶縁テープ１５で円環状の計器用変流器コアに一体に巻き付けて固着したものである。また、左側に配置された計器用変流器７ａには突起部２２ａが設けられ、右側に配置された計器用変流器７ｃには突起部２５ｃが設けられている。突起部２２ａ、２５ｃの断面形状、構造等については突起部２３ｂ、２４ｂと同様である。
【００３９】
突起部２３ｂと突起部２２ａは、各平面部が互いに対向しほぼ接するように配置されている。また、突起部２４ｂと突起部２５ｃも同様に、各平面部が互いに対向しほぼ接するように配置されている。
【００４０】
振動等により計器用変流器７ａ〜７ｃに回転方向の力が加わった場合、突起部２３ｂと突起部２２ａとが対向する平面部で互いに干渉して係止し合い、突起部２４ｂと突起部２５ｃとが対向する平面部で互いに干渉して係止し合うことで、計器用変流器７ａ〜７ｃの回転が抑制される。これにより、計器用変流器７ａ〜７ｃの回転による二次配線１２の断線などの不具合の発生を防止することができるのは実施の形態１と同様である。
【００４１】
なお、突起部２２ａ，２３ｂ，２４ｂ，２５ｃの形状は図示例に限定されず、他の構成も可能である。突起部２２ａ，２３ｂ，２４ｂ，２５ｃは、計器用変流器７ａ〜７ｃの回転方向の動きを抑制するような平面部を有していればよく、計器用変流器７ａ〜７ｃに回転方向の力荷が印加された場合に、対向する平面部が互いに接触して係止し合う構造であればよい。本実施の形態のその他の効果は実施の形態１と同様である。
【００４２】
実施の形態３．
図５は、本実施の形態にかかる三相一括形のガス絶縁開閉装置における三相の計器用変流器の配置構成を示す横断面図である。図５では、図４と同様に、タンク１他構成要素を一部省略して計器用変流器間の配置構成のみを示している。
【００４３】
図５に示すように、本実施の形態では、三相の計器用変流器７ａ〜７ｃは直線的に配置される構成である。すなわち、図示を省略した三相の導体も二等辺三角形の頂点に配置されている。このような配置構成は、タンク１が楕円形状の場合に用いられることがあり、計器用変流器７ａ〜７ｃに接続される導体がタンク１内で折り返す構造の場合などに用いられる。
【００４４】
中央に配置された計器用変流器７ｂには、突起部４２ｂ，４３ｂが設けられている。突起部４２ｂ，４３ｂはともに断面が略台形状であり、それぞれ上底部が平面部となっている。また、突起部４２ｂ，４３ｂは、実施の形態２と同様に、樹脂等の絶縁材料からなる同形状の突起物を絶縁テープ１５で円環状の計器用変流器コアに一体に巻き付けて固着したものである。また、左側に配置された計器用変流器７ａには突起部４０ａ，４１ａが設けられ、右側に配置された計器用変流器７ｃには突起部４４ｃ，４５ｃが設けられている。突起部４０ａ，４１ａ，４４ｃ，４５ｃの断面形状、構造等については突起部４２ｂ，４３ｂと同様である。
【００４５】
突起部４２ｂと突起部４１ａは、各平面部が互いに対向しほぼ接するように配置されている。また、突起部４３ｂと突起部４４ｃも同様に、各平面部が互いに対向しほぼ接するように配置されている。
【００４６】
振動等により計器用変流器７ａ〜７ｃに回転方向の力が加わった場合、突起部４２ｂと突起部４１ａとが対向する平面部で互いに干渉して係止し合い、突起部４３ｂと突起部４４ｃとが対向する平面部で互いに干渉して係止し合うことで、計器用変流器７ａ〜７ｃの回転が抑制される。これにより、計器用変流器７ａ〜７ｃの回転による二次配線１２の断線などの不具合の発生を防止することができるのは実施の形態１と同様である。
【００４７】
なお、図５において、突起部４０ａ，４５ｃは回転防止に使用されていないので設けなくてもよいが、図示例では計器用変流器７ａ〜７ｃとしてすべて同じものを並べて配置した場合を示している。
【００４８】
また、突起部４０ａ，４１ａ，４２ｂ，４３ｂ，４４ｃ，４５ｃの形状は図示例に限定されず、他の構成も可能である。突起部４１ａ，４２ｂ，４３ｂ，４４ｃは、計器用変流器７ａ〜７ｃの回転方向の動きを抑制するような平面部を有していればよく、計器用変流器７ａ〜７ｃに回転方向の力が印加された場合に、対向する平面部が互いに接触して係止し合う構造であればよい。本実施の形態のその他の効果は実施の形態１と同様である。
【産業上の利用可能性】
【００４９】
以上のように、本発明は、計器用変流器の回転を防止する構造を備えたガス絶縁開閉装置として有用である。
【符号の説明】
【００５０】
１  タンク
２  取付板
３，５，９，１０  ボルト
４  支柱
６  計器用変流器ケース
７，７ａ，７ｂ，７ｃ  計器用変流器
８  押え板
１１  密封端子
１２  二次配線
１３  圧着端子
１４，１４ａ，１４ｂ，１４ｃ，２２ａ，２３ｂ，２４ｂ，２５ｃ  突起部
４０ａ，４１ａ，４２ｂ，４３ｂ，４４ｃ，４５ｃ  突起部
１５  絶縁テープ
３０，３０ａ，３０ｂ，３０ｃ  導体
３１  計器用変流器コア
５０  仮想線
【図１】
2011004567.tif 000003
【図２】
2011004567.tif 000004
【図３】
2011004567.tif 000005
【図４】
2011004567.tif 000006
【図５】
2011004567.tif 000007
【図６】
2011004567.tif 000008
【図７】
2011004567.tif 000009